(57)【要約】【課題】  石材と金属材とを複合した表札であって、外観性においてそれぞれの材料が持つ良さを出し、また立体的で豪華な意匠性を作り出すことが可能な表札を提供する。【解決手段】  天然石、人工石、磁器質タイルから選ばれた１種からなる四角形の基板２と、該基板の表面７の一部に重なる表面板５と基板の一側端面８に接合する支持板６とを有するステンレス板又はアルミニウム板からなる化粧板３と、化粧板の表面板よりも外形が小さく、基板の表面と表面板との間に介在させるスペーサ板４とからなり、化粧板の表面板を、スペーサ板を介して基板の表面に接着するとともに、化粧板の支持板を基板の端面に接着し、姓名等の表示部９を表面板又は基板の露出部の一方又は双方に設けた。【選択図】        図１
2009198927.tif 000002
【特許請求の範囲】
【請求項１】
天然石、人工石、磁器質タイルから選ばれた１種からなる四角形の基板と、該基板の表面の一部に重なる表面板と前記基板の一側端面に接合する支持板とを有するステンレス板又はアルミニウム板からなる化粧板と、前記化粧板の表面板よりも外形が小さく、前記基板の表面と表面板との間に介在させるスペーサ板とからなり、前記化粧板の表面板を、スペーサ板を介して前記基板の表面に接着するとともに、前記化粧板の支持板を前記基板の端面に接着し、姓名等の表示部を前記表面板又は前記基板の露出部の一方又は双方に設けたことを特徴とする表札。
【請求項２】
前記スペーサ板の端縁を前記化粧板の表面板の端縁よりも内側に後退した位置に設けてなる請求項１記載の表札。
【請求項３】
前記化粧板の表面板の一端縁を曲線で形成してなる請求項１又は２記載の表札。
【請求項４】
前記化粧板の表面板に単又は複数の開口を形成してなる請求項１〜３何れかに記載の表札。
【発明の詳細な説明】
【技術分野】
【０００１】
本発明は、玄関や門柱等に設置する表札に係わり、更に詳しくは石材と金属材とを複合した表札に関するものである。
【背景技術】
【０００２】
従来から、御影石の表面に文字を彫刻した表札、あるいはステンレス板に文字を彫刻した表札、あるいはステンレス製の切り文字をステンレス板の貼り合わした表札等は公知である。また、近年は個性を出し、また豪華さを出すために石材と金属材を複合した表札も提供されるようになってきた。
【０００３】
特許文献１には、天然石層と、ＦＲＰ樹脂層と、耐候性材層を有し、該天然石層は薄板状で、該ＦＲＰ樹脂層は該天然石層の一面に接着剤により接着されかつ自身を貫通して該天然石層に入り込んでいる孔に充填された別の接着剤により局所的に高強度に接着され、該耐候性材層は該ＦＲＰ樹脂層に接着剤により接着された天然石を利用した表札が記載されている。ここで、耐候性材層がステンレス板となっており、該ステンレス板と該ＦＲＰ樹脂層に互いに連通する掛け孔が穿たれている。
【０００４】
しかし、特許文献１に記載の表札は、確かに天然石とステンレス板を複合した表札ではあるが、天然石とステンレス板の外形が同じであり、それらをＦＲＰ樹脂層を介して強固に接着した構造であるので、外観性においては単純な直方体の表札である。つまり、天然石からなる基板の表面をステンレス板で覆った外観であり、ステンレス板の厚みが１ｍｍでも十分な剛性を持たせることはできる。
【特許文献１】実用新案登録第３０３１９７８号公報
【発明の開示】
【発明が解決しようとする課題】
【０００５】
そこで、本発明が前述の状況に鑑み、解決しようとするところは、石材と金属材とを複合した表札であって、外観性においてそれぞれの材料が持つ良さを出し、また立体的で豪華な意匠性を作り出すことが可能な表札を提供する点にある。
【課題を解決するための手段】
【０００６】
本発明は、前述の課題解決のために、天然石、人工石、磁器質タイルから選ばれた１種からなる四角形の基板と、該基板の表面の一部に重なる表面板と前記基板の一側端面に接合する支持板とを有するステンレス板又はアルミニウム板からなる化粧板と、前記化粧板の表面板よりも外形が小さく、前記基板の表面と表面板との間に介在させるスペーサ板とからなり、前記化粧板の表面板を、スペーサ板を介して前記基板の表面に接着するとともに、前記化粧板の支持板を前記基板の端面に接着し、姓名等の表示部を前記表面板又は前記基板の露出部の一方又は双方に設けたことを特徴とする表札を構成した（請求項１）。
【０００７】
ここで、前記スペーサ板の端縁を前記化粧板の表面板の端縁よりも内側に後退した位置に設けてなることが好ましい（請求項２）。
【０００８】
また、前記化粧板の表面板の一端縁を曲線で形成してなることも好ましい（請求項３）。
【０００９】
また、前記化粧板の表面板に単又は複数の開口を形成してなることも好ましい（請求項４）。
【発明の効果】
【００１０】
以上にしてなる請求項１に係る発明の表札は、天然石、人工石、磁器質タイルから選ばれた１種からなる四角形の基板と、該基板の表面の一部に重なる表面板と前記基板の一側端面に接合する支持板とを有するステンレス板又はアルミニウム板からなる化粧板と、前記化粧板の表面板よりも外形が小さく、前記基板の表面と表面板との間に介在させるスペーサ板とからなり、前記化粧板の表面板を、スペーサ板を介して前記基板の表面に接着するとともに、前記化粧板の支持板を前記基板の端面に接着し、姓名等の表示部を前記表面板又は前記基板の露出部の一方又は双方に設けたので、外観性において基板と化粧板とを構成する材料の持つ良さを同時に備えて豪華さが倍増し、また化粧板は表面板がスペーサ板を介して基板の表面に接着するとともに、支持板が基板の一端面に接着する構造であるので、化粧板の支持強度が非常に高いとともに、立体感もあるのである。また、前記化粧板は、ステンレス板又はアルミニウム板から表面板と支持板とをＬ字状に屈曲して形成したので、それ自体の曲げ強度が高くなる。更に、化粧板の支持板が基板の端面に接着するので、この端面側の強度の向上と外観性の向上が共に図れるのである。
【００１１】
請求項２によれば、前記スペーサ板の端縁を前記化粧板の表面板の端縁よりも内側に後退した位置に設けてなるので、化粧板の表面板の端縁に影が生じて、基板の表面から浮き出たように見えるので、より立体感を高めることができ、豪華さも増すのである。
【００１２】
請求項３によれば、前記化粧板の表面板の一端縁を曲線で形成してなるので、外観性において材料の持つ硬いイメージを和らげることができる。
【００１３】
請求項４によれば、前記化粧板の表面板に単又は複数の開口を形成してなるので、化粧板の表面板に変化を持たせ、より立体感を高めることができる。
【発明を実施するための最良の形態】
【００１４】
次に、添付図面に示した実施形態に基づき、本発明を更に詳細に説明する。図１及び図２は本発明に係る表札の第１実施形態を示し、図１は表札の斜視図、図２はその断面図を示し、図中符号１は表札、２は基板、３は化粧板、４はスペーサ板、５は表面板、６は支持板をそれぞれ示している。
【００１５】
本発明に係る表札１は、図１及び図２に示すように、天然石、人工石、磁器質タイルから選ばれた１種からなる四角形の基板２と、該基板２の表面７の一部に重なる表面板５と前記基板２の一側端面８に接合する支持板６とを有するステンレス板又はアルミニウム板からなる化粧板３と、前記化粧板３の表面板５よりも外形が小さく、前記基板２の表面７と表面板５との間に介在させるスペーサ板４とからなり、前記化粧板３の表面板５を、スペーサ板４を介して前記基板２の表面７に接着するとともに、前記化粧板３の支持板６を前記基板２の端面８に接着し、姓名等の表示部９を前記表面板５又は前記基板２の露出部の一方又は双方に設けた構造である。
【００１６】
本実施形態としては、前記基板２として黒御影石を用い、前記化粧板３として１．２ｍｍ厚のステンレス板から作製し、前記スペーサ板４として３ｍｍ厚の透明アクリル板を用いた。前記アクリル板は黒色等に着色したものを用いても良い。本発明では、前記基板２を黒御影石とし、前記化粧板３をステンレス板とすることが最も好ましい。
【００１７】
第１実施形態の前記基板２は、１３ｍｍ厚の略正方形の黒御影石から作製し、前記化粧板３は、前記表面板５と支持板６をＬ字状に曲げて作製している。ここで、前記化粧板３の上下寸法は、前記基板２の上下寸法に一致させ、表面板５の横幅は基板２の横幅の略１／３に設定するとともに、該表面板５の一端縁１０を波形の曲線にカットしている。また、前記スペーサ板４は、前記化粧板３の表面板５より小さく、略相似形で縮小した形状となっている。
【００１８】
そして、前記化粧板３の表面板５と前記基板２の表面７との間に、前記スペーサ板４を挟んで間に接着剤を塗布して強固に接着すると同時に、前記化粧板３の支持板６を前記基板２の左側端面８に接着する。この状態で、前記スペーサ板４の右側端縁１１は、前記化粧板３の表面板５の右側端縁１０よりも内側に後退した位置になっている。同様に上下端縁においても、表面板５の端縁１２よりもスペーサ板４の端縁１３は内側の後退した位置になっている。このようにすることによって、前記化粧板３の表面板５が前記基板２の表面７から浮き上がったように見え、より立体的に見えるのである。
【００１９】
本実施形態では、前記基板２の表面７で右側の露出部分に文字をブラスト彫刻塗装仕上げにより形成し、表示部９としている。
【００２０】
次に、第２実施形態は、図３及び図４に示すように、基本構造は前述の第１実施形態と同様であるが、前記化粧板３の表面板５の端縁１０の形状が異なる。本実施形態では、前記化粧板３の表面板５の端縁１０は直線状であり、該端縁１０に沿った表面板５には上下方向に一定間隔で四角形の開口１４，…を形成している。そして、前記スペーサ板４の端縁１１も直線状であり、前記開口１４，…の背面位置に当該スペーサ板４が存在しても、また存在しなくても良い。何れの場合も、前記開口１４，…の存在によって化粧板３がより立体的に見えるのである。その他の構成は、前述の第１実施形態と同様であるので、同一構成には同一符号を付して、その説明は省略する。
【００２１】
次に、第３実施形態は、図５及び図６に示すように、基本構造は前述の第１実施形態と同様であるが、右側に化粧板３を設けている。前記化粧板３は、表面板５の右側に支持板６を折曲形成し、該支持板６を前記基板２の右側端面８に接着している。また、前記表面板５の左側端縁１０とスペーサ板４の左側端縁１１は直線状となっている。そして、前記化粧板３の上下寸法は、前記基板２の上下寸法よりも小さく設定し、前記基板２の上下中央部に前記化粧板３を固定している。本実施形態では、前記化粧板３の表面板５に文字を刻設し、その凹部内を塗料で着色して表示部９を形成するとともに、前記基板２の表面７の露出部分に桜の花びら模様をブラスト彫刻塗装仕上げにより形成し、表示部９としている。
【００２２】
次に、第４実施形態は、図７及び図８に示すように、基本構造は前述の第１実施形態と同様であるが、横長の長方形の基板２の上側に化粧板３を設けている。前記化粧板３は、表面板５の上側に支持板６を折曲形成し、該支持板６を前記基板２の上側端面８に接着している。また、前記表面板５の下側端縁１０とスペーサ板４の下側端縁１１は直線状となっている。そして、前記化粧板３の左右寸法は、前記基板２の左右寸法よりも小さく設定し、前記基板２の左右中央部に前記化粧板３を固定している。本実施形態も前記化粧板３の表面板５に表示部９を形成している。
【００２３】
最後に、第５実施形態は、図９及び図１０に示すように、基本構造は前述の第１実施形態及び第４実施形態と同様であるが、横長の長方形の基板２の左側に化粧板３を設けている。前記化粧板３は、表面板５の左側に支持板６を折曲形成し、該支持板６を前記基板２の左側端面８に接着している。また、前記表面板５の右側端縁１０とスペーサ板４の右側端縁１１は直線状となっている。そして、前記化粧板３の上下寸法は、前記基板２の上下寸法よりも十分小さく設定し、横長の帯状となっており、前記基板２の上下中央部より下方寄り位置に前記化粧板３を固定している。本実施形態も前記化粧板３の表面板５に表示部９を形成している。
【図面の簡単な説明】
【００２４】
【図１】本発明の第１実施形態に係る表札の斜視図である。
【図２】同じく第１実施形態の表札の断面図である。
【図３】本発明の第２実施形態に係る表札の斜視図である。
【図４】同じく第２実施形態の表札の断面図である。
【図５】本発明の第３実施形態に係る表札の斜視図である。
【図６】同じく第３実施形態の表札の断面図である。
【図７】本発明の第４実施形態に係る表札の斜視図である。
【図８】同じく第４実施形態の表札の断面図である。
【図９】本発明の第５実施形態に係る表札の斜視図である。
【図１０】同じく第５実施形態の表札の断面図である。
【符号の説明】
【００２５】
１  表札、
２  基板、
３  化粧板、
４  スペーサ板、
５  表面板、
６  支持板、
７  表面、
８  端面、
９  表示部、
１０  端縁、
１１  端縁、
１２  端縁、
１３  端縁、
１４  開口。
【図１】
2009198927.tif 000003
【図２】
2009198927.tif 000004
【図３】
2009198927.tif 000005
【図４】
2009198927.tif 000006
【図５】
2009198927.tif 000007
【図６】
2009198927.tif 000008
【図７】
2009198927.tif 000009
【図８】
2009198927.tif 000010
【図９】
2009198927.tif 000011
【図１０】
2009198927.tif 000012